(57)【要約】【課題】オペレータが効率よく欠字処理に対応することのできる欠字端末システムを提供する。【解決手段】  欠字端末システムであって、文字の情報を記憶する記憶部と、前記書面を読み取るスキャナと、前記スキャナで読み取った情報を１文字ごとにイメージを分割するイメージ処理部と、前記イメージ処理部から得られたイメージを文字認識する文字認識部と、前記文字認識部で得られた文字認識結果と前記ホスト装置から得られた情報を比較して欠字を決定する欠字決定部と、前記欠字決定部で決定された欠字のイメージを前記イメージ処理部で分割されたイメージから決定する欠字イメージ決定部と、前記欠字イメージ決定部で決定された欠字と前記記憶部に記憶された文字とを類似度を算出し、類似度が高い文字の順に検索する類似文字検索部と、前記類似文字検索部で検索された文字を選択し、処理する入力部と、を備える。【選択図】図１
2010250380.tif 000002
【特許請求の範囲】
【請求項１】
ホスト装置に書面から得られた情報を登録し、前記情報の中に欠字が存在した場合、前
記欠字を欠字イメージとして生成して本来の文字に置き換える欠字端末システムであって
、
文字の情報を記憶する記憶部と、
前記書面を読み取るスキャナと、
前記スキャナで読み取った情報を１文字ごとにイメージを分割するイメージ処理部と、
前記イメージ処理部から得られたイメージを文字認識する文字認識部と、
前記文字認識部で得られた文字認識結果と前記ホスト装置から得られた情報を比較して
欠字を決定する欠字決定部と、
前記欠字決定部で決定された欠字のイメージを前記イメージ処理部で分割されたイメー
ジから決定する欠字イメージ決定部と、
前記欠字イメージ決定部で決定された欠字と前記記憶部に記憶された文字とを類似度
を算出し、類似度が高い文字の順に検索する類似文字検索部と、
前記類似文字検索部で検索された文字を選択し、処理する入力部と、
を備えることを特徴とする欠字端末システム。
【請求項２】
前記記憶部には一定数の文字を出来る第１の記憶部と前記入力部で処理された文字を記
憶する第２の記憶部を備えることを特徴とする請求項１記載の欠字端末システム。
【発明の詳細な説明】
【技術分野】
【０００１】
本発明は、例えば、ＩＤカード等の各種書類及びカードを発行装置で発行する際に、個
人情報等の中に、発行装置の記憶装置に収納されていない特殊文字が存在したために発生
する欠字に対し、適切な処理をおこなうための欠字端末システムに関する。
【背景技術】
【０００２】
従来、例えば、ＩＤカードを発行する証明用媒体の発行装置は、登録端末装置から申請
者の顔画像および個人情報（住所、氏名、生年月日など）を入力することにより、これら
をホスト装置へ登録している。その場合、個人情報の中に、証明用媒体の発行装置にあら
かじめ登録されていない文字である特殊文字が存在する場合がある。その際は、当該文字
に対してタブレットを用いて画像イメージを描画して手書き入力し、文字データを登録す
る必要がある。また、特殊文字による欠字が存在した場合は、特定の識別子（例えば、＊
印）に変換して登録される。
【０００３】
つまり、個人情報の中に欠字が存在した場合は、欠字端末装置で欠字を入力することに
より、これを欠字イメージサーバに登録している。
【０００４】
顔画像や個人情報、欠字を登録した後、印刷装置４において、ホスト装置から顔画像や
個人情報を取得するとともに、欠字イメージサーバから欠字データを取得し、これらをＩ
Ｄカード媒体に印刷することによりＩＤカードを発行するようになっている。
【０００５】
ところで、欠字端末装置における欠字の入力方法は以下のように行なわれる。すなわち
、まず、ホスト装置から欠字が存在する個人情報を取得して、画面に表示する。次に、表
示されている個人情報内の特定の識別子に対応する欠字を、ペンタブレットなどの手書入
力部を用いて直接画面上に入力イメージとして入力する。
【０００６】
ペンタブレットでは、人間が電子ペンにて手書きしたイメージを連続的に点として検知
し、それらの点の集合をイメージとして取得している。つまり、ペンタブレットでは、人
間が手書きしたイメージを忠実に再現するため、検知された各点の位置を正確に検知して
イメージデータを取得している。
【０００７】
欠字端末装置における欠字の入力イメージは、例えば、１５０ドット×１５０ドットの
大きさに設定されていて、そのまま画面に描画するとともに、この入力イメージに対し縮
小処理を施して、５０ドット×５０ドットの大きさにしたイメージを欠字イメージとして
同じ画面上に描画する。そして、全ての入力対象を入力し終わった時点での欠字イメージ
を欠字として欠字イメージサーバに登録している。（例えば、特許文献１を参照）
【先行技術文献】
【特許文献】
【０００８】
【特許文献１】特開２００４−１９２４３１号
【発明の概要】
【発明が解決しようとする課題】
【０００９】
上述のような欠字端末装置による欠字イメージの入力は、欠字を登録する際にペンタブ
レットを用いて、空白の状態から画像イメージを描画して作成していた。したがって、以
下のような問題点が存在する。（ａ）欠字イメージは空白の状態から作成して編集するた
め手間がかる。（ｂ）編集作業は、ドット単位で編集しているため、イメージ通りの編集
をするのにはオペレータが熟練を要する。（ｃ）欠字は、申請者毎に登録されるため、申
請者が違えば同じ欠字イメージでも最初から編集する必要があり、オペレータは作成作業
に手間がかかる。
【００１０】
本発明は、これらの事情にもとづいてなされたもので、各種の証明書発行装置に用いら
れ、オペレータが効率よく欠字を作成することのできる欠字端末システムを提供すること
を目的としている。
【課題を解決するための手段】
【００１１】
本発明の実施形態の欠字端末システムは、ホスト装置に書面から得られた情報を登録し
、前記情報の中に欠字が存在した場合、前記欠字を欠字イメージとして生成して本来の文
字に置き換える欠字端末システムであって、文字の情報を記憶する記憶部と、前記書面を
読み取るスキャナと、前記スキャナで読み取った情報を１文字ごとにイメージを分割する
イメージ処理部と、前記イメージ処理部から得られたイメージを文字認識する文字認識部
と、前記文字認識部で得られた文字認識結果と前記ホスト装置から得られた情報を比較し
て欠字を決定する欠字決定部と、前記欠字決定部で決定された欠字のイメージを前記イメ
ージ処理部で分割されたイメージから決定する欠字イメージ決定部と、前記欠字イメージ
決定部で決定された欠字と前記記憶部に記憶された文字とを類似度を算出し、類似度が高
い文字の順に検索する類似文字検索部と、前記類似文字検索部で検索された文字を選択し
、処理する入力部と、を備える。
【発明の効果】
【００１２】
本発明によれば、各種の証明書発行装置に用いられ、オペレータが効率よく欠字処理に
対応することのできる欠字端末システムを提供することができる。
【図面の簡単な説明】
【００１３】
【図１】本発明の実施の形態に係る欠字端末システムを具備したＩＤカード発行システムの概略構成を示すブロック図。
【図２】本発明の実施の形態に係るＩＤカード発行システム１００のデータベース２１の登録者データベースに記憶されるデータ書式の一例を示す図。
【図３】欠字端末システム３の本体と入力部の構成図。
【図４】表示部４１上および液晶表示装置４０Ｄ上における欠字端末システム３により欠字を入力する際の入力画面の表示例を示す説明図。
【図５】欠字端末システム３における申請情報登録作業の一例を示すフローチャート
【図６】本発明の実施の形態に係る欠字端末システムにおける欠字の欠字処理の一例を示すフローチャート。
【図７】本発明の実施の形態に係る欠字端末システムによる欠字イメージの編集の一例を示す説明図。
【発明を実施するための形態】
【００１４】
以下、本発明の欠字端末システムについての実施するための最良の形態を、図面を参照
して説明する。
【００１５】
以下、この発明の実施の形態について図面を参照して説明する。
【００１６】
図１は、この発明の一つの実施の形態に係る欠字端末システムを具備したＩＤカード発
行システムの概略構成を示すブロック図である。
【００１７】
図１に示すように、ＩＤカード発行システム１００は、登録端末１、ホストコンピュー
タ２、欠字端末システム３、印刷装置４を有し、各々は、ＬＡＮなどのネットワーク回線
５を介して接続されている。
【００１８】
これらの構成によるＩＤカード発行システム１００では、登録端末１や欠字端末システ
ム３により入力した各申請者の申請者データ（登録者データ２２）をホストコンピュータ
２内のデータベース２１に登録し、印刷装置４によってホストコンピュータ２内のデータ
ベース２１に登録された登録者データ２２に基づいてＩＤカードを印刷する。
【００１９】
すなわち、登録端末１を用いてオペレータにより、申請者から受領した申請書に基づく
個人情報や申請者の顔画像などの登録者データ２２が入力される。登録端末１の構成は、
申請者から受領した申請書に基づいて当該申請者の個人情報などのデータをオペレータが
入力する入力端末機器（入力部）１ａと文字情報メモリ１ａｍ、また、申請者の少なくと
も顔を含む画像のデータ（顔画像データ）を入力する画像入力機器１ｂと画像情報メモリ
１ｂｍを有している。
【００２０】
入力端末機器１ａは、図示しない、キーボード、表示部、制御部などで構成される。画
像入力部１ｂは、デジタルカメラなどを有する撮影装置などにより構成されている。また
、ＩＤカード発行システム１００としては、画像入力部１ｂの代わりに、申請者の顔画像
を撮影する撮影装置をＬＡＮ６に接続した構成としてもよい。
【００２１】
オペレータにより登録端末１から入力された登録者データ２２は、ＩＤ番号、住所、氏
名、本籍、登録月日などの個人情報が含まれている。これらの個人情報は、ホストコンピ
ュータ２内のデータベース２１に蓄積される。
【００２２】
以下データベース２１への個人情報蓄積方法を簡単に説明する。
【００２３】
オペレータは登録端末１の入力端末機器１ａから、個人情報などの文字を入力する。入
力した情報は所定のフォント情報に基づいて文字のイメージデータに変換される。つまり
、例えば、ＪＩＳコードに存在する漢字などの文字は、文字情報メモリ１ａｍに予め登録
されている所定のフォント情報として文字のイメージデータに変換される。
【００２４】
これに対して、所定のフォント情報が存在しない文字は、オペレータは欠字として入力
する。登録端末１では、欠字が生じた場合は、例えば欠字部分に「＊」などの欠字を示す
識別子を挿入する。
【００２５】
なお、顔画像等の画像データは登録端末１の画像情報メモリ１ｂｍに収納される。
【００２６】
ホストコンピュータ２は、データベース２１に登録端末１により入力された個人情報を
含む登録者データ２２を蓄積する。このデータベース２１には、多数の登録者データ２２
が蓄積されている。図２に登録者データ２２の書式の一例を示す。登録者データ２２には
、登録端末１にて入力された登録者データ２２として、ＩＤ番号、氏名、住所、本籍、登
録年月日等のデータを蓄積する。
【００２７】
登録端末１にて入力された登録者データ２２に欠字が含まれている場合、ホストコンピ
ュータ２は、欠字のイメージデータを入力するために、当該登録者データ２２を欠字端末
システム３へ転送する。登録端末１にて入力された登録者データ２２に欠字が含まれてい
ない場合、ホストコンピュータ２は、ＩＤカードの印刷要求に応じて蓄積した登録者デー
タ２２を印刷装置４へ転送する。
【００２８】
欠字端末システム３は、ホストコンピュータ２に蓄積されている登録者データ２２の中
から、欠字を含む登録者データ２２を取得し、欠字に対するイメージデータを入力するシ
ステムである。
【００２９】
印刷装置４は、ホストコンピュータ２から登録者データ２２を取得してＩＤカードを印
刷する装置である。
【００３０】
次に、欠字端末システム３の内部構成について以下図１及び図３を用いて詳細に述べる
。
【００３１】
図３に欠字端末システム３の本体と入力部の構成を示す。欠字端末システム３は、スキ
ャナ３０、制御部３１、キーボード３９、タブレット４０、記憶部３７、及び表示部４１
などを有している。
【００３２】
スキャナ３０は手書きの申請書を読み取る。手書きの申請書とはオペレータが登録端末
１の入力端末機器１ａから入力する際に利用したものを指す。
【００３３】
制御部３１は、制御プログラムにより動作するＣＰＵや制御プログラムなどが記憶され
たメモリなどにより構成され、欠字端末システム３全体の制御を司るものである。  
イメージ処理部３２はスキャナ３０で読み取られた手書きの申請書に記載された文書を
イメージ処理部３２にて１文字ごとに分離されたイメージに分ける。スキャナ３０で読み
取られた手書きの申請書のイメージは、行画像について、行方向と垂直な方向に黒画素の
射影をとり、射影値の小さい部分を文字の境目と判断して分離される。
【００３４】
文字認識部３３はイメージ処理部３２で１文字ごとに分離されたイメージの文字認識を
行う。
【００３５】
欠字決定部３４は文字認識部３３の情報から欠字を特定する。例えば欠字はＡとＢの間
の文字とする。データベース２１から受信した登録者データ２２から欠字はＡとＢの間の
文字であると確認する。確認した２つの文字（ＡとＢ）の位置を文字認識部３３から得ら
れた文字認識結果を比較してＡとＢの２文字の間に存在する文字を欠字として決定する。
【００３６】
欠字イメージ決定部３５は欠字決定部３４から欠字として決定された文字の位置の情報お
よびイメージ処理部３２から１文字ごとに分離されたイメージの情報を受け、二つの情報
を比較して、欠字として決定された文字の１文字ごとに分離されたイメージを決定する。
例えば「ＡＣＢ」と並んだ文字でＣが欠字だとする。その場合において、初めに欠字決定
部３４からデータベース２１から受信した登録者データ２２から欠字はＡとＢの間の文字
であるとの情報を得る。次に文字認識部３３からイメージ処理部３２で１文字ごとに分離
されたイメージの文字認識結果を得る。その結果は例えば「Ａ」と、「Ｂ」と、ＡとＢの
間にある例えば「Ｇ」との文字認識を得る。「Ｇ」文字認識される前のイメージ「Ｃ」を
イメージ処理部３２から選択し、そのイメージを欠字として決定された文字のイメージと
する。
【００３７】
類似文字検索部３６では複合類似度方式を用いてデータベース及び欠字イメージデータベ
ースに保存された文字の中で欠字となっているイメージとの類似度を算出し、欠字となっ
ているイメージと類似度が高い文字を選出する
記憶部３７は、ハードディスクドライブやＲＡＭなどの記憶装置により構成され、所定
のフォント情報に基づいて文字のイメージデータ、例えば、ＪＩＳコードに存在する漢字
のイメージデータを保存する。
【００３８】
また記憶部３７の中に欠字イメージ記憶部３８を有する。欠字イメージ記憶部３８は、
過去に用いられた欠字イメージが記憶されている。
【００３９】
キーボード３９は、オペレータが操作指示やデータなどを入力する際に使用する。
【００４０】
タブレット４０（描画入力装置）は液晶タブレットで、欠字のイメージデータをオペレ
ータが手書き入力するものである。タブレット４０は、入力用の筆記板としての液晶表示
装置４０Ｄ、ポインティングデバイス（手書き入力部）としてのペン形状のスタイラス（
以下、電子ペンと称する）４０Ｐ、及び制御等を行う回路機構（不図示）などにより構成
される。
【００４１】
また、液晶表示装置４０Ｄは、表示面（以下、入力面と称する）上にペン４０Ｐが接触し
た点を連続的（例えば、所定時間ごと）に検知する検知手段としての機能を有している。
これにより、タブレット４０は、液晶表示装置４０Ｄの入力面にペン４０Ｐが接触した点
を連続的に検知し、オペレータが手書き入力した連続する点の集合からなるイメージデー
タを取得する。
【００４２】
なお、タブレット４０の代わりに、マウス、トラックボール、タッチスクリーンなどの
ポインティングデバイス（手書き入力部）と操作案内あるいは入力データなどを表示する
表示装置にて構成するようにしてもよい。この場合、ポインティングデバイスを用いてオ
ペレータが手書きするイメージを取得し、表示装置に入力されたイメージを表示するよう
にすればよい。
【００４３】
表示部４１は欠字端末システム３により欠字処理を行う際の入力画面等を表示する。例
えばパソコンのディスプレイ等が用いられる。
【００４４】
図４は、表示部４１上に表示される欠字端末システム３により欠字を入力する際の入力画
面の表示例を示す説明図である。
【００４５】
例えば、図４に示す表示例では、個人情報欄５１、文字候補ウィンドウ５２、読取ボタ
ン５４、登録ボタン５５、決定ボタン５６及び欠字編集エリア６０が表示されている。個
人情報欄４１は、ホストコンピュータ２から取得した登録者データ２２に基づく当該ユー
ザに関する情報としてＩＤ番号（ＩＤカード番号）、住所、氏名、生年月日などが表示さ
れている。
【００４６】
文字候補ウィンドウ５２は、実際に欠字イメージ記憶部３８に登録される大きさで欠字
のイメージ（欠字イメージ）が表示される。欠字編集エリア６０には、タブレット４０に
て入力された大きさで欠字のイメージ（入力イメージ）が表示される。
【００４７】
なお、読取ボタン５４は欠字処理を行うため識別子を選択後、押下するボタンである。
決定ボタン５６は、文字候補ウィンドウ５２に表示されたイメージの中で欠字を編集する
際に最適なイメージを決定する際にオペレータにより選択されるボタンである。また、終
了ボタン５５は、欠字の入力作業を終了する際にオペレータにより選択されるボタンであ
る。欠字編集エリア６０は図４（ｂ）に示されるとおり液晶表示装置４０Ｄ上に表示され
る。オペレータは欠字編集エリア６０に表示されたイメージをペン４０Ｐを用いて直接編
集する。
【００４８】
次に、欠字端末システム３における申請情報登録作業の一例について説明する。
【００４９】
図５は、欠字端末システム３における申請情報登録作業を示すフローチャートである。
【００５０】
初めにオペレータは手書きの申請書をスキャナ３０で読み取る（Ｓ１）。
【００５１】
読み取られた申請書は、初めにＩＤ番号記載部分の情報のみイメージ処理部３２にて１文
字ごとに分離されたイメージに分けられる（Ｓ２）。イメージ処理部３２にて１文字ごと
に分離されたイメージは文字認識部３３に送信され、文字認識部３３にて文字認識を行う
（Ｓ３）。文字認識部３３で文字認識された文字は、ＩＤ番号を電子情報として表示部４
１に表示される（Ｓ４）。
【００５２】
表示されたＩＤ番号の電子情報をオペレータが確認を行う。ＩＤ番号が正しかった場合
は（Ｓ５、Ｙｅｓ）、オペレータは表示部４１上の読取ボタン５４をキーボード３９から
選択しＩＤ番号に該当する情報をデータベース２１から読み出す（Ｓ６）。ＩＤ番号が異
なっていた場合は（Ｓ５、ＮＯ）、オペレータはキーボード３９から正しい番号に訂正を
行った後（Ｓ７）、操作部上の読取ボタン５４を選択しＩＤ番号に該当する情報をデータ
ベース２１から読み出す（Ｓ６）。
【００５３】
データベース２１から読み出された情報は表示部４１に表示される（Ｓ８）。この時、
読み出された情報の中に欠字がある場合には例えば、「＊」などの欠字を示す識別子に変
換されて表示される。
【００５４】
読み出された情報の中に欠字がある場合には（Ｓ９、Ｙｅｓ）、オペレータは欠字処理
に対応する（Ｓ１０）。読み出された情報の中に欠字がない場合には（Ｓ９、Ｎｏ）、及
びオペレータが欠字処理を終了した後は、表示部４１上の登録ボタン５５を選択する（Ｓ
１１）ことにより申請情報登録作業を終了する。
【００５５】
次に、欠字端末システム３における欠字処理について詳細に説明する。
【００５６】
図６は、欠字端末システム３における欠字処理を示すフローチャートである。
【００５７】
データベース２１から読み出された情報に欠字がある場合には表示部４１に欠字を示す
識別子が表示される（Ｓ２１）。オペレータは処理する欠字、つまり識別子をキーボード
３９から数字を入力して選択する（Ｓ２２）。以下実施例では図４（ａ）上＊１を選択し
たとする。
【００５８】
スキャナ３０で読み取られた手書きの申請書をイメージ処理部３２にて１文字ごとに分離
されたイメージに分ける（Ｓ２３）。イメージ処理部３２にて１文字ごとに分離されたイ
メージは文字認識部３３に送信され、文字認識部３３にて文字認識を行う（Ｓ２４）。文
字認識部３３は文字認識結果を欠字決定部３４に送信する。欠字決定部３４はデータベー
ス２１から読み出された情報と文字認識結果を比較し、欠字の位置を確認する（Ｓ２５）
。この実施例において欠字は「芝」と「太」の間の文字とする。
【００５９】
欠字イメージ決定部３５は欠字決定部３４から送信された欠字の位置からイメージ処理部
３２にて分離されたイメージのどのイメージが欠字となるのかを選択し、選択されたイメ
ージは欠字として決定された文字のイメージとして決定する（Ｓ２６）。欠字イメージ決
定部３５は欠字として決定された文字のイメージを類似文字検索部３６に送信する。類似
文字検索部３６では欠字となっているイメージとの類似度を算出し、欠字となっているイ
メージと類似度が高い文字を類似度が高い順に選出する（Ｓ２７）。類似文字検索部３６
での検索が終了すると、表示部４１には文字候補ウィンドウ５２（図４）が立ち上がり、
類似文字検索部３６で類似度が高い文字から順番に文字候補ウィンドウ５２（図４）に表
示される（Ｓ２８）。オペレータは文字候補ウィンドウ５２（図４）に表示された文字の
中から、そのまま使用できる同一文字があるか否かを判断する。（Ｓ２９）
同一文字がない場合（Ｓ３０、Ｎｏ）、編集の元になる一番近いイメージを文字候補ウ
ィンドウ５２（図４）に表示された数字をキーボード３９より入力する（Ｓ３１）。それ
により、選択したイメージが欠字編集エリア６０（図４）に表示される。（Ｓ３２）
オペレータは、選択したイメージに対してペン４０Ｐを用いて必要な編集をおこなう。
欠字を手書き入力する際に、欠字に類似する文字のイメージデータを表示し、相違部分だ
けを編集することにより、本来の文字に編集することを実行する。（Ｓ３３）
図７は、欠字イメージの編集の一例を示すもので、欠字イメージ記憶部３８に記録され
ていた「齋」を、今回入力すべき文字「齊」に編集した場合の例である。
【００６０】
オペレータは欠字の編集が終了したら決定ボタン５６を押下する。この動作により、本
来の文字に編集された欠字イメージは、新たに欠字イメージ記憶部３８に記憶されて追加
され（Ｓ３４）、表示部４１上の該当する欠字部分（今回は＊１）に選択されたイメージ
が表示され（Ｓ３５）、欠字処理は終了する。
【００６１】
なお、同一文字が存在した場合（Ｓ３０、Ｙｅｓ）、同一文字イメージを文字候補ウィ
ンドウ５２（図４）に表示された数字をキーボード３９より入力する（Ｓ３６）。更に決
定ボタン５６を押下すると当該文字イメージ（ビットマップ）が選択され（Ｓ３７）、表
示部４１上の該当する欠字部分（今回は＊１）に選択されたイメージが表示され（Ｓ３８
）、欠字処理は終了する。なお、選択された当該文字イメージは編集されていない為、当
該文字イメージは欠字イメージ記憶部３８には登録されない。
【００６２】
これにより、オペレータが手書き入力する部分を極力少なくすることにより、手書き入
力に時間や手間をかけることなく操作者が意図した欠字のイメージを正確かつ効率的に入
力することができ、他の文字との違和感を少なくすることができる。
【００６３】
また、作成した欠字を加工して新たな欠字を作成することができるため、欠字作成にか
かる労力をさらに少なくすることができる。
【００６４】
また、以前使用したイメージの履歴から、自動で欠字に最も類似したイメージを欠字イ
メージ及びＪＩＳコードに存在する漢字のイメージから呼び出すことにより編集作業の大
幅な軽減が見込まれ、編集作業に不慣れなオペレータでも簡単に編集できる。
【００６５】
また、今までは同じ文字に対するイメージでも、証明書発行者の個人毎に編集していた
ため、他の証明書発行者との間では文字イメージに差異がある可能性があったが、全ての
欠字イメージの編集を呼び出し、利用することにより、欠字を対象とした文字イメージの
統一が可能になる。
【００６６】
なお、本発明は上記の実施形態のそのままに限定されるものではなく、実施段階ではそ
の要旨を逸脱しない範囲で構成要素を変形して具体化できる。また、上記の実施形態に開
示されている複数の構成要素の適宜な組み合わせにより、種々の発明を形成できる。例え
ば、実施形態に示される全構成要素から幾つかの構成要素を削除してもよい。さらに、異
なる実施形態にわたる構成要素を適宜組み合わせてもよい。
【符号の説明】
【００６７】
１…登録端末、２…ホストコンピュータ、３…欠字端末システム、３０…スキャナ、３
１…制御部、３７…記憶部、３８…欠字イメージ記憶部、４…印刷装置、１００…ＩＤカ
ード発行システム、５１…個人情報欄、５２…文字候補ウィンドウ、６０…欠字編集エリ
ア
【図１】
2010250380.tif 000003
【図２】
2010250380.tif 000004
【図３】
2010250380.tif 000005
【図４】
2010250380.tif 000006
【図５】
2010250380.tif 000007
【図６】
2010250380.tif 000008
【図７】
2010250380.tif 000009